(57)【要約】      （修正有）【課題】スヌーズ時間を設定するためのタイマを備えたアラーム機構を提供する。【解決手段】機械式アクチュエータ１１を制御するアラーム機構であって、スヌーズ時間を設定するためのタイマを備え、タイマは、アクチュエータ１１を解除して、チャイムを一時的に停止させるために、アラームチャイムの鳴動中に第１の時点で作動されることが可能な第１の制御手段と、第１の時点から所定の間隔時間が経過した後の第２の時点で、アラームチャイムを自動的に再鳴動させるように構成された計時手段とを有し、所定の間隔時間を設定するために、第２の制御手段と、第１の制御手段によって間接的に制御される解除カム７と、を有し、解除カム７は、ハンマレバー９の回動を制御するように構成されており、ハンマレバー９は、その角度位置に応じて、アクチュエータ１１を解放またはロックすることで、それぞれ、アラームチャイムの鳴動を許可または阻止する。【選択図】図１
2017078712.tif 000002
【特許請求の範囲】
【請求項１】
時計ムーブメント（４００）によって制御される打撃機構（３００）と協働する少なくとも１つの機械式アクチュエータ（１１）の動きを制御するように構成されたアラーム機構（２００）であって、スヌーズ時間を設定するためのタイマ（１００）を備え、前記タイマ（１００）は、完全に機械的なものであって、前記アクチュエータ（１１）を解除して、アラームチャイムを一時的に停止させるために、アラームチャイムの鳴動中にユーザによって第１の時点で作動されることが可能な第１の制御手段を有し、さらに前記タイマ（１００）は、前記第１の時点から所定の間隔時間が経過した後の第２の時点で、アラームチャイムを自動的に再鳴動させるように構成された機械式計時手段を有する、アラーム機構において、
前記タイマ（１００）は、前記第１の制御手段によって間接的に制御される解除カム（７）を有し、前記解除カムは、前記タイマ（１００）に含まれるハンマレバー（９）の回動を制御するように構成されており、前記ハンマレバー（９）は、その角度位置に応じて、前記アクチュエータ（１１）を解放またはロックすることで、それぞれ、アラームチャイムの鳴動を許可または阻止する、ことを特徴とするアラーム機構。
【請求項２】
前記第１の制御手段は、第１の制御レバー（１６）を含み、前記第１の制御レバーは、これがユーザの操作によって回動するときに、前記解除カム（７）を駆動するように構成されたラック（１５）の回動を制御するように構成されている、ことを特徴とする、請求項１に記載のアラーム機構（２００）。
【請求項３】
前記第１の制御レバー（１６）は、少なくとも１つのバネ（１７）によって復帰させられる関節連結された制御コハゼ（１６０）を有し、前記制御コハゼ（１６０）は、前記ラック（１５）を回動させるために前記ラック（１５）に含まれるラックピン（１５０）を押圧するように構成された第１の先端座面（１６２）と、前記ハンマレバー（９）と一体の躍制レバー（９０）に含まれるピン（１３）を押圧するように構成された第２の先端座面（１６３）と、を有し、前記ハンマレバーは、前記ピン（１３）がその中で可動である長孔（９２）を有し、前記ピン（１３）は、前記制御コハゼ（１６０）を、ユーザが前記第１の制御手段を操作することが可能な位置へと、前記ムーブメント（４００）から外向きに押し戻す傾向がある、ことを特徴とする、請求項２に記載のアラーム機構（２００）。
【請求項４】
前記制御コハゼ（１６０）は、前記第１の先端座面（１６２）と、前記制御レバー（１６）との前記関節連結部との間に、前記ラックピン（１５０）を受けて支持する側方座面（１６５）を有し、さらに、前記第１の先端座面（１６２）と前記第２の先端座面（１６３）との間に、ユーザが前記第１の制御手段を移動位置の終端に操作したときに該制御コハゼ（１６０）が退避することを可能とする凹部（１６４）を有する、ことを特徴とする、請求項３に記載のアラーム機構（２００）。
【請求項５】
前記第１の制御レバー（１６）は、長孔（１６７）の中で可動であるピン（１６６）によって、前記制御コハゼ（１６０）に関節連結されており、前記バネ（１７）によって、前記ムーブメント（４００）の外側に復帰させられる、ことを特徴とする、請求項３または４に記載のアラーム機構（２００）。
【請求項６】
前記ハンマレバー（９）は、摩擦バネ（３０）を介して前記時計ムーブメント（４００）の輪列と噛合している係脱可能な歯車（５）を保持しており、前記係脱可能な歯車（５）は、前記解除カム（７）と一体の解除カム歯車（６）と噛合する第１の位置をとることが可能であり、前記第１の噛合位置は、前記ハンマレバー（９）が前記アクチュエータ（１１）をロックする角度位置に対応しており、さらに、前記解除カム歯車（６）との第２の非噛合位置をとることが可能であり、前記非噛合位置は、前記ハンマレバー（９）が前記アクチュエータ（１１）の自由な動きを許す角度位置に対応している、ことを特徴とする、請求項１〜５のいずれかに記載のアラーム機構（２００）。
【請求項７】
前記タイマ（１００）は、前記所定の間隔時間を設定するために、ユーザが作動させることが可能な第２の制御手段を有する、ことを特徴とする、請求項１〜６のいずれかに記載のアラーム機構（２００）。
【請求項８】
前記ラック（１５）は、間隔時間カム（１２）に含まれるカムトラックに当接するように構成されたクチバシ（１５１）を有し、前記間隔時間カムは、好ましくは、ユーザが前記所定の間隔時間を設定することを許される特定の間隔時間にそれぞれ対応する複数のトラックを有する、ことを特徴とする、請求項２または７に記載のアラーム機構（２００）。
【請求項９】
前記間隔時間カム（１２）は、前記第２の制御手段によって動かされる星車（１２０）に結合されていることを特徴とする、請求項８に記載のアラーム機構（２００）。
【請求項１０】
前記星車（１２０）は、前記間隔時間の設定を表示するための指針またはディスクを保持していることを特徴とする、請求項９に記載のアラーム機構（２００）。
【請求項１１】
輪列（１８；１９；２０）によって、前記解除カム（７）に表示車（２１）が接続されており、前記表示車は、前記タイマの機能が作動されているときに、前記タイマの作動または次のアラームチャイムまでの残り時間のカウントダウンを表示するための指針またはディスクを保持している、ことを特徴とする、請求項８に記載のアラーム機構（２００）。
【請求項１２】
打撃機構（３００）および請求項１〜１１のいずれかに記載のアラーム機構（２００）と協働する時計ムーブメント（４００）を備えた時計（１０００）。
【発明の詳細な説明】
【技術分野】
【０００１】
本発明は、時計ムーブメントによって制御される打撃機構と協働する少なくとも１つの機械式アクチュエータの動きを制御するように構成されたアラーム機構に関するものであり、アラーム機構は、スヌーズ時間を設定するためのタイマを備え、このタイマは、完全に機械的なものであって、アクチュエータを解除して、アラームチャイムを一時的に停止させるために、アラームチャイムの鳴動中にユーザによって第１の時点で作動されることが可能な第１の制御手段を有し、さらにタイマは、第１の時点から所定の間隔時間が経過した後の第２の時点で、アラームチャイムを自動的に再鳴動させるように構成された機械式計時手段を有する。
【０００２】
本発明は、さらに、かかるタイマを備えた時計に関する。
【背景技術】
【０００３】
アラーム機構が、特に打撃機構によってアラーム信号を発するときに、スヌーズ機能は、アラームを停止させて、短時間後に再びアラームを発することを可能とする。この機能は、電子時計においてのみ存在している。
【０００４】
ＧＵＮＴＥＲ ＨＥＭＰＥＬ名義の特許文献１は、繰り返しアラームについて開示しており、分真に取り付けられた歯車によって打鈴が解除されて、この繰り返しアラームを停止位置にロックすることが可能である。
【先行技術文献】
【特許文献】
【０００５】
【特許文献１】仏国特許第１２３５２９０号明細書
【発明の概要】
【発明が解決しようとする課題】
【０００６】
本発明の機構により、かかるスヌーズ機能を、アラーム機構を既に装備した時計に組み込むことが可能となり、それは、特に５分である所定の間隔時間で段階的に調整可能であって、ユーザが作動させることが可能なものである。
【課題を解決するための手段】
【０００７】
そこで、本発明は、請求項１に記載の、スヌーズ時間を設定するためのタイマを備えたアラーム機構に関するものである。
【０００８】
本発明は、さらに、かかるタイマを備えた時計に関する。
【０００９】
本発明の他の特徴および効果は、添付の図面を参照して以下の詳細な説明を読解することで、明らかになるであろう。
【図面の簡単な説明】
【００１０】
【図１】図１は、アラーム機構に追加される、本発明によるスヌーズタイマ機構の概略平面図を示している。
【図２】図２は、スヌーズ機能を始動させることが可能な段階にある、アラームチャイムの鳴動中の、図１の機構の一部を示している。
【図３】図３は、スヌーズ機能が作動されたときの、図１の機構の一部を示している。
【図４】図４〜６は、本発明による機構に含まれる制御コハゼの可動性に関する詳細を示している。図４は、制御コハゼとラックピンとの間の接触を示している。
【図５】図５は、このコハゼと接触躍制レバーピンとの間の接触を示している。
【図６】図６は、制御コハゼの退避を示している。
【図７】図７は、図１の断面Ａ−Ａに沿った断面図である。
【図８】図８は、図１の断面Ｂ−Ｂに沿った断面図である。
【図９】図９は、ムーブメント、打撃機構、およびアラーム機構を備えた時計を示すブロック図であり、そのアラーム機構に、本発明によるスヌーズタイマ機構が追加されている。
【発明を実施するための形態】
【００１１】
本発明は、時計ムーブメント４００によって制御される打撃機構３００と協働する少なくとも１つの機械式アクチュエータ１１の動きを制御するように構成された、当業者に周知のアラーム機構２００に組み込まれるか、または追加されるために考案された、スヌーズ時間を設定するためのタイマ１００に関する。
【００１２】
本発明によれば、このタイマ１００は、完全に機械的なものである。
【００１３】
図示の好ましい実施形態では、このタイマ１００は、アクチュエータ１１を解除して、アラームチャイムを一時的に停止させるために、アラームチャイムの鳴動中にユーザによって第１の時点で作動されることが可能な第１の制御手段を有する。このタイマ１００は、第１の時点から所定の間隔時間が経過した後の第２の時点で、アラームチャイムを自動的に再鳴動させるように構成された機械式計時手段を有する。
【００１４】
図１は、機構１００の全体を示しており、アラーム解除機構は示していない。ムーブメント４００の輪郭は、図中の単純な円弧で表している。
【００１５】
図２は、スヌーズ機能を始動させることが可能な段階にある、アラームチャイムの鳴動中の、機構１００の一部を示している。
【００１６】
アラームが鳴動するときには、アクチュエータ１１が解放されて、図２の矢印Ｆに沿って動くことで、図示していないゴングを打ち鳴らし、そのゴングは、限定するものではないが、好ましくは、打撃機構３００および当該アラーム機構２００と協働する時計ムーブメント４００の外側に固定されている。
【００１７】
図示の実施形態では、アクチュエータ１１は、アラームハンマであり、本説明は、この非限定的な実施形態に関わるものである。当然のことながら、本発明は、打撃機構のための他の任意の形態のアクチュエータに適用可能である。
【００１８】
タイマ１００は、解除カム７を有し、これは、第１の制御手段によって、直接的に、または図示の実施形態におけるように間接的に、制御される。この解除カム７は、タイマ１００に含まれるハンマレバー９の回動を制御するように構成されている。ハンマレバー９は、その角度位置に応じて、アクチュエータ１１を解放またはロックすることで、それぞれ、アラームチャイムの鳴動を許可または阻止する。
【００１９】
本発明は、ユーザが、第１の制御手段を用いて、アラームチャイムを完全に終了させるか、または通常の機構によってアラームをオフにするか、または本発明に特有のスヌーズ機能を始動させるか、選択することを可能とする。
【００２０】
これらの第１の制御手段は、ユーザによって作動されて、制御レバー１６を回動させるように構成された第１のプッシュピース１６１を含む。この第１の制御レバー１６は、ユーザの操作によって回動して、解除カム７を駆動するように構成されたラック１５の回動を制御するように構成されている。
【００２１】
図示の具体的な実施形態では、制御レバー１６は、この目的のために、スヌーズ機能を始動させることを可能とする制御コハゼ１６０を有し、これは、制御レバー１６に取り付けられて、これに関節連結されており、少なくとも１つのバネ１７によって復帰させられる。
【００２２】
制御レバー１６が、その軸Ｄ１の周りに回動すると、制御コハゼ１６０が、ラック１５を押圧して、これは、このラック１５と一体のラックピン１５０によって、軸Ｄ２の周りに回動する。
【００２３】
制御コハゼ１６０は、ラック１５を回動させるためにラックピン１５０を押圧するように構成された第１の先端座面１６２と、ハンマレバー９と一体の躍制レバー９０に含まれるピン１３を押圧するように構成された第２の先端座面１６３と、を有する。このハンマレバー９は、ピン１３がその中で可動である長孔９２を有し、これによって、制御コハゼ１６０を、ユーザが第１の制御手段を操作することが可能な位置へと、ムーブメント４００から外向きに押し戻す傾向がある。
【００２４】
より具体的には、制御コハゼ１６０は、第１の先端座面１６２と、制御レバー１６との関節連結部との間に、ラックピン１５０を受けて支持する側方座面１６５を有し、さらに、第１の先端座面１６２と第２の先端座面１６３との間に、ユーザが第１の制御手段を移動位置の終端に操作したときに制御コハゼ１６０が退避することを可能とする凹部１６４を有する。
【００２５】
より具体的には、第１の制御レバー１６は、長孔１６７の中で可動であるピン１６６によって、制御コハゼ１６０に関節連結されており、バネ１７によって、ムーブメント４００の外側に向かって復帰させられる。
【００２６】
ラック１５の第１の回転度では、中間ラック歯車１４を介し、次に、解除カム７と一体の解除カム歯車６を介し、次に、解除カム７のノッチ７０と協働するように構成されたローラ８を介して、ハンマレバー９を引き上げることが可能である。
【００２７】
ハンマレバー９は、その角度位置に応じて、これに含まれる止め面９１によってアラームハンマ１１と一体のピン１０に当接係合することによりアラームハンマ１１をロックするか、またはアラームハンマの動きを許すか、いずれかであり得る。
【００２８】
ハンマレバー９は、図示の実施形態では止め面９１の側と反対側に、係脱可能な歯車５を保持している。係脱可能な歯車５は、摩擦バネ３０を介して、ムーブメント４００の輪列と噛合している。係脱可能な歯車５は、解除カム７と一体の解除カム歯車６と噛合する第１の位置をとることができ、この第１の噛合位置は、ハンマレバー９がアクチュエータ１１をロックする角度位置に対応しており、さらに、解除カム歯車６との第２の非噛合位置をとることができ、この第２の非噛合位置は、ハンマレバー９がアクチュエータ１１の自由な動きを許す角度位置に対応している。
【００２９】
ハンマレバー９が、その軸Ｄ３の周りに回動して、ハンマ１１をロックすると、係脱可能な歯車５は、カム歯車６を、第２の中間車２、第３の中間車３、および第４の中間車４を介して筒カナ１に接続する。
【００３０】
この段階では、ラック１５は、その移動をまだ終えていない。実際に、ラック１５は、これに含まれるクチバシ１５１で間隔時間カム１２に当接するまで、回動を継続する。ラック１５は、回動する間に、解除カム７、解除カム歯車６、および係脱可能な歯車５を駆動する。
【００３１】
下がるときのラック１５の角度によって、間隔時間が決まるものと理解される。
【００３２】
本発明によれば、タイマ１００は、所定のスヌーズ間隔時間を調整するために、ユーザが作動させることが可能な第２の制御手段を有する。
【００３３】
この目的のため、ラック１５は、間隔時間カム１２に含まれるカムトラックに当接するように構成されたクチバシ１５１を有し、好ましくは、間隔時間カムは、ユーザが所定の間隔時間を設定することを許される特定の間隔時間にそれぞれ対応する複数のトラックを有する。
【００３４】
効果的には、動作する輪列をひずませることがないように、図７に示すように、第４の中間車４は、摩擦バネ３０を用いて第３の中間車３によって駆動される。ラック１５が間隔時間カム１２に当たって止まると、カウントダウンが開始される。
【００３５】
筒カナ１が、解除カム７を逆方向に駆動する。ローラ８が、解除カム７に押し当てられて、解除カム７のノッチ７０に落ち込むまで転動し、これにより、ハンマレバー９を駆動して、アクチュエータまたはハンマ１１を解放し、係脱可能な歯車５を解放する。
【００３６】
このとき、アラームが再び鳴動し、スヌーズ機能は、ムーブメントから切り離される。
【００３７】
図３は、作動されたスヌーズ機能を示している。
【００３８】
間隔時間カム１２は、本発明によれば、ユーザがスヌーズ間隔時間を設定することを可能とする。実際に、それは、好ましくは、間隔時間カム１２のプロファイルに固有の、基本間隔時間にそれぞれ対応するいくつかの段階を有する。これらの所定の基本間隔時間は、必ずしも一定ではなく、具体的には、それらは次第に減少していても、またはその逆であってもよい。
【００３９】
間隔時間カム１２は、効果的には、第２の制御手段によって動かされる星車１２０に結合されている。第２の制御手段は、完全には図示されていない設定システムを有し、図面では、第２の制御手段に含まれる星車１２０のみを示しており、これは、第２のプッシュピース、刻み付きローラ、プルアウトピース、または他の要素など、従来の任意の機構によって操作されることは当業者であれば想定することができる。当然のことながら、第２の制御手段は、星車１２０に代えて、この機能を果たす同等の構成要素を含んでいてもよい。
【００４０】
図示の具体的かつ非限定的な例では、間隔時間カム１２の各段階は、５分の間隔時間の刻み幅に相当する。解除カム７は、ラック１５のクチバシ１５１が止められた段階に応じて、大小の異なる角度で回転する。これにより、スヌーズ間隔時間は、長短が異なる。間隔時間カム１２は、星車１２０によって位置決めされ、この星車の上に、スヌーズ間隔時間の設定を表示するための指針またはディスクを容易に圧嵌することができる。
【００４１】
図示していない別の実施形態では、間隔時間カム１２は、例えば１分程度の、スヌーズ間隔時間の細かい調整のための、滑らかなカムである。
【００４２】
表示車２１が、一連の中間車２０、１９、１８によって、解除カム７に接続されている。表示車２１上に指針またはディスクを圧嵌することにより、スヌーズ機能が作動されているときに、スヌーズ作動インジケータまたはアラームが再び鳴動するまでの残り分数のカウントダウンを表示することが容易である。
【００４３】
図示の非限定的な実施形態では、表示車２１は、間隔時間カム１２および星車１２０と同軸状であり、これにより、それら２つの表示は、同じ文字盤またはインジケータと協働することが可能である。
【００４４】
スヌーズ機能が、まだ作動している間に、再始動されることを回避するために、安全機能が設けられており、スヌーズ機能が非作動にされると、制御コハゼ１６０が、ハンマレバー９と一体の躍制レバー９０の端に固定されているとともにラック１５の長孔９２の中で可動である躍制レバーピン１３を通過して移動し、そして制御コハゼ１６０は、ラックピン１５０を押圧する。
【００４５】
ハンマレバー９が引き上げられると、この躍制レバー９０によって躍制レバーピン１３が位置決めされる。
【００４６】
ユーザが、制御レバー１６を作動させるために、バネ１７に抗してプッシュピース１６１を押圧すると、制御コハゼ１６０が、躍制レバーピン１３に当接するように動き、コハゼを保持する制御レバーに対して軸Ｄ５の周りで回動して、ラックピン１５０を通過して移動する。制御レバー１６に対する制御コハゼ１６０の回動は、長孔１６７内で動くピン１６６によって制限され、そして、バネ１７の端１７０によって、長孔１６７の一端に戻されることで、それは、制御コハゼ１６０を躍制レバー９０に向かって恒久的に押圧する傾向にある。
【００４７】
図４〜６は、２つのアームを有するフォークを含む制御コハゼ１６０の可動性を示しており、その第１のアーム１６８は、図４に示すようにラックピン１５０に当接して協働することができるように構成された第１の先端座面１６２を有し、第２のアーム１６９は、図５に示すように躍制レバーバネ１３に当接して協働することができるように構成された第２の先端座面１６３を有し、また、この第２のアームは、制御コハゼの退避に対応する図６に示すように、躍制レバーバネ１３の移動を制限するための側面１６４をさらに有する。
【００４８】
ハンマレバー９がレスト位置にあるときにのみ、すなわち、スヌーズ機能が非作動にされているときにのみ、スヌーズ機能を再始動させることが可能である。
【００４９】
事前に、このレスト位置では、コハゼ１６０は、図４の位置にある。その場合、ローラ８は、解除カム７のノッチ７０内に位置決めされている。プッシュピース１６１が押圧動作を受けると、これにより、第１の座面１６２がラックピン１５０を押圧し、そして、この第１の座面１６２に付与された特別な傾斜形状によって、ラックピン１５０は、コハゼ１６０の２つのアームでＵ字形に画定された内側の窪みに滑り込む。
【００５０】
第１の制御レバー１６とコハゼ１６０との間の関節連結部において、コハゼ１６０のピン１６６は、第１の制御レバー１６の長孔１６７の中で可動である。このピン１６６は、これに押し当たるバネ１７の作用によって、反時計回りに回動する傾向にあり、これにより、ピン１６６は、長孔１６７の底に移動した位置となり、その位置では、長孔１６７内でピン１６６が突き当たることによって、第１の制御レバー１６とコハゼ１６０との接続は、ほぼ剛連結である。
【００５１】
このとき、ラック１５は、解放されて、下がることができる。解除カム７は回動する。第１の制御レバー１６が下がるのと同時に、ハンマレバー９は、引き上げられる。
【００５２】
そして、躍制レバー９０のピン１３は、解除レバー９の長孔９２の端に当接するように動く。これは、コハゼ１６０が、押圧され続けることが可能であることを意味する。躍制レバー９０は応力を受けており、これは、スヌーズ機構が、レバーピン１３を位置決めするときに破損することなく、安全に機能することを保証する部材である。
【００５３】
図５は、ユーザがタイマ機構１００を始動させることが可能な位置に対応している。躍制レバー９０は、バネ１７よりも高剛性であるように寸法設定されている。従って、コハゼ１６０は、躍制レバー９０によって駆動されるレバーピン１３の押圧を受けて、軸Ｄ５の周りで時計回りに回動することが可能である。このとき、ピン１６６は、長孔１６７のもう一方の側に移動する傾向がある。コハゼ１６０の第１の座面１６２を有する第１のアームは、ピンを通過して移動する。
【００５４】
その後、図６のコハゼの退避位置に達し、このとき、レバーピン１３は、コハゼの第２のアームの内側１６４に当接している。ラックピン１５０は、コハゼ１６０の第１のアームの外側面１６５の背後にあって、理論的には、この外側面１６５から離れている。
【００５５】
本発明は、さらに、打撃機構３００、および少なくとも１つの機械式アクチュエータ１１の動きを制御するように構成されたアラーム機構２００と、協働する時計ムーブメント４００を備えた時計１０００に関し、時計１０００は、スヌーズ時間を設定するための、かかるタイマ１００を備える。
【００５６】
本発明は、トルクを無駄にしないという利点がある。実際に、ローラ８は、解除カム７上で、そのノッチ７０と協働するとき以外は、恒久的に転動する。係合力は、ユーザからの押圧力を受けて生じ、従って、時計内部の何のエネルギー資源も用いていない。ローラ８がノッチ７０に入ると、その係合解除力は、ハンマレバー９によって与えられ、これにより、アセンブリの係合を解除して、それをレスト位置に戻す。
【符号の説明】
【００５７】
１        筒カナ
２        第２の中間車
３        第３の中間車
４        第４の中間車
５        係脱可能な歯車
６        解除カム歯車
７        解除カム
８        ローラ
９        ハンマレバー（解除レバー）
１０      アラームハンマのピン
１１      アクチュエータ（アラームハンマ）
１２      間隔時間カム
１３      躍制レバーピン（躍制レバーバネ）
１４      中間ラック歯車
１５      ラック
１６      第１の制御レバー
１７      バネ
１８      中間車
１９      中間車
２０      中間車
２１      表示車
３０      摩擦バネ
７０      ノッチ
９０      躍制レバー
９１      止め面
９２      ハンマレバーの長孔
１００    タイマ
１２０    星車
１５０    ラックピン
１５１    ラックのクチバシ
１６０    制御コハゼ
１６１    プッシュピース
１６２    第１の先端座面
１６３    第２の先端座面
１６４    制御コハゼの第２のアームの内側（側面）（制御コハゼの凹部）
１６５    制御コハゼの第１のアームの外側面（制御コハゼの側方座面）
１６６    制御コハゼのピン
１６７    制御レバーの長孔
１６８    制御コハゼの第１のアーム
１６９    制御コハゼの第２のアーム
１７０    バネの端
２００    アラーム機構
３００    打撃機構
４００    時計ムーブメント
１０００  時計
Ａ        図１（タイマ機構）の断面
Ｂ        図１（タイマ機構）の断面
Ｄ０      筒カナの軸
Ｄ１      制御レバーの軸
Ｄ２      ラックの軸
Ｄ３      ハンマレバーの軸
Ｄ５      制御コハゼの軸
Ｆ        矢印（アクチュエータの動き）
【図１】
2017078712.tif 000003
【図２】
2017078712.tif 000004
【図３】
2017078712.tif 000005
【図４】
2017078712.tif 000006
【図５】
2017078712.tif 000007
【図６】
2017078712.tif 000008
【図７】
2017078712.tif 000009
【図８】
2017078712.tif 000010
【図９】
2017078712.tif 000011